(57)【要約】【課題】侵入者等の侵入防止性を向上させた引き戸構造を提供する。【解決手段】引き戸構造は、構造物の開口に固定され下枠部１２をもつ枠体１１と、枠体１１に取り付けられ開口を覆うスライド式の引き戸とを有する。下枠部１２の延設方向と直交する断面で、枠体１１の下枠部１２は引き戸の上方変位を抑えると共に引き戸の下端部を隠蔽する隠蔽フック部４，５，６を有する。引き戸の下端部は、下枠部１２の延設方向と直交する断面で、枠体１１の下枠部１２の隠蔽フック部４，５，６と重なり合うことが好ましい。【選択図】図２
2005139740.tif 000002
【特許請求の範囲】
【請求項１】
構造物の開口に配設され下枠部をもつ枠体と、前記枠体に取り付けられ前記開口を覆うスライド式の引き戸とを有する引き戸構造において、
前記下枠部の延設方向と直交する断面で、
前記枠体の前記下枠部は前記引き戸の下端部を隠蔽する隠蔽部を有することを特徴とする引き戸構造。
【請求項２】
構造物の開口に配設され下枠部をもつ枠体と、前記枠体に取り付けられ前記開口を覆うスライド式の引き戸とを有する引き戸構造において、
前記下枠部の延設方向と直交する断面で、
前記枠体の前記下枠部は前記引き戸の下端部と係合して前記引き戸の上方変位を抑えると共に前記引き戸の下端部を隠蔽する隠蔽フック部を有しており、
前記引き戸の下端部は、前記下枠部の延設方向と直交する断面で、前記枠体の前記下枠部の前記隠蔽フック部と重なり合うと共に前記引き戸の上方変位に伴い前記枠体の前記下枠部の前記隠蔽フック部に係合可能な係合部を有することを特徴とする引き戸構造。
【請求項３】
請求項２において、前記下枠部の延設方向と直交する断面で、前記下枠部の前記隠蔽フック部は前記下枠部の延設方向に対して交差する方向に突出しており、
前記引き戸の前記係合部は前記引き戸から前記下枠部の前記隠蔽フック部の突出方向と逆向きに突出していることを特徴とする引き戸構造。
【請求項４】
請求項１〜請求項３のうちのいずれか一項において、前記下枠部の延設方向と直交する断面で、前記枠体の前記下枠部は溝をもつ嵌合部を有しており、
前記枠体の前記隠蔽フック部は前記枠体に対して別体であり、前記枠体の前記嵌合部の前記溝に嵌合すると共に前記隠蔽フック部の上昇変位に対して抵抗力を発揮する抜け止め抵抗部を有することを特徴とする引き戸構造。
【請求項５】
請求項１〜請求項４のうちのいずれか一項において、前記引き戸は、外障子と内障子を有しており、前記下枠部の延設方向と直交する断面で、
前記隠蔽フック部は、前記外障子よりも室外側に位置する第１隠蔽フック部と、前記内障子と前記外障子との間に位置する第２隠蔽フック部と、前記内障子よりも室内側に位置する第３隠蔽フック部とを有しており、
前記枠体の下枠部は、前記内障子と前記外障子との間に位置する中間溝をもつ中間嵌合部と、室内側に位置する室内側溝をもつ室内側嵌合部とを有しており、
前記枠体の前記第２隠蔽フック部は前記枠体の前記下枠部の前記中間嵌合部の中間溝に嵌合すると共に第２隠蔽フック部の上昇変位に対して抵抗力を発揮する第２抜け止め抵抗部を有しており、
前記枠体の前記第３隠蔽フック部は前記枠体の前記下枠部の前記室内側嵌合部の前記室内側溝に嵌合すると共に前記第３隠蔽フック部の上昇変位に対して抵抗力を発揮する第３抜け止め抵抗部を有することを特徴とする引き戸構造。
【請求項６】
請求項５において、前記下枠部の延設方向と直交する断面で、前記第１隠蔽フック部、前記第２隠蔽フック部及び前記第３隠蔽フック部のうちの少なくとも一方は、縦方向に沿って延設された第１部分と、前記第１部分の上部から横方向に沿って延設された第２部分と、前記第２部分のうちの少なくとも一端から下方に向けて突出する下方突出部と、前記第１部分の下部から横方向に沿って延設され前記枠体の下枠部に脱着可能に固定される第３部分とを少なくとも有する横断面形状をなしていることを特徴とする引き戸構造。
【請求項７】
請求項５または請求項６において、前記第１隠蔽フック部、前記第２隠蔽フック部、前記第３隠蔽フック部の高さ位置は、前記枠体を固定する前記構造物の室内側の露出面の高さ位置と室外側の露出面の高さ位置に対応する高さ位置に設定されていることを特徴とする引き戸構造。
【請求項８】
請求項１〜請求項９のうちのいずれか一項において、前記引き戸は窓またはドアであることを特徴とする引き戸構造。
【発明の詳細な説明】
【技術分野】
【０００１】
本発明は侵入者に対する防犯性を高めた引き戸構造に関する。
【背景技術】
【０００２】
特許文献１には、構造物の開口に固定され下枠部をもつ枠体と、枠体に取り付けられ開口を覆う窓ガラスを有するスライド式の障子とを有する引き違いサッシが開示されている。このものによれば、障子の移動方向の途中にストッパを設けている。そして障子を全開しようとしても、ストッパ部材が枠体の下枠部の途中のストッパに係合するため、スライド式の障子の全開きが防止される。ストッパ部材を解除位置に設定すれば、障子を全開きすることができる。
【０００３】
特許文献２には、バリアフリー型のフラットサッシの下部に形成されている下枠部に排水口を設けたフラットサッシの高水密構造が開示されている。このものによれば、障子に沿って流下した雨水を排水口を介して排出させることにしている。
【特許文献１】特開２０００−１７０４２９号公報
【特許文献２】特開２００２−３０９８６５号公報
【発明の開示】
【発明が解決しようとする課題】
【０００４】
上記した特許文献１,２に係る引き違いサッシによれば、枠体の下枠部と障子の下端部との間には隙間が存在しており、侵入者等がバール等の工具をこの隙間に差し込めば、障子の下端部を枠体の下枠部に対して持ち上げて障子を強制的に外すことが可能であり、侵入者等の侵入防止性は必ずしも満足できるものではなかった。
【０００５】
本発明は上記した実情に鑑みてなされたものであり、侵入者等の侵入防止性を更に向上させた引き戸構造を提供することを課題とするにある。
【課題を解決するための手段】
【０００６】
第１発明である様相１に係る引き戸構造は、構造物の開口に配設され下枠部をもつ枠体と、枠体に取り付けられ開口を覆うスライド式の引き戸とを有する引き戸構造において、下枠部の延設方向と直交する断面で、枠体の下枠部は引き戸の下端部を隠蔽する隠蔽部を有することを特徴とする。
【０００７】
様相１に係る引き戸構造によれば、侵入者等により引き戸の下端部をバール等の工具でこじ開けようとしても、引き戸の下端部が枠体の下枠部の隠蔽部により隠蔽されているため、バール等の工具を枠体の下枠部と引き戸の下端部との間に差し込むことができず、侵入者等の侵入が抑えられる。
【０００８】
第２発明である様相２に係る引き戸構造は、構造物の開口に配設され下枠部をもつ枠体と、枠体に取り付けられ開口を覆うスライド式の引き戸とを有する引き戸構造において、
下枠部の延設方向と直交する断面で、枠体の下枠部は引き戸の下端部と係合して引き戸の上方変位を抑えると共に引き戸の下端部を隠蔽する隠蔽フック部を有しており、
引き戸の下端部は、下枠部の延設方向と直交する断面で、枠体の下枠部の隠蔽フック部と重なり合うと共に引き戸の上方変位に伴い下枠部の隠蔽フック部に係合可能な係合部を有することを特徴とする。
【０００９】
様相２に係る引き戸構造によれば、侵入者等により引き戸をバール等の工具でこじ開けようとしても、引き戸の下端部が枠体の下枠部の隠蔽フック部により隠蔽されているため、バール等の工具を枠体の下枠部と引き戸の下端部との間に差し込むことができず、侵入者等の侵入が抑えられる。仮に、侵入者等により引き戸がバール等でこじ開けられて引き戸が強制的に上方変位されようとしても、引き戸の上方変位に伴い、引き戸の下端部の係合部は、構造物側の枠体の下枠部の隠蔽フック部に係合する。このため、引き戸をそれ以上上方に持ち上げることができず、引き戸の外れが抑えられ、侵入者等の侵入が抑えられる。
【００１０】
様相３に係る引き戸構造によれば、上記した特徴に加えて、下枠部の延設方向と直交する断面で、下枠部の隠蔽フック部は下枠部の延設方向に対して交差する方向に突出しており、引き戸の係合部は引き戸から下枠部の隠蔽フック部の突出方向と逆向きに突出していることを特徴とする。この場合、前述同様に、引き戸の上方変位に伴い、引き戸の係合部は枠体の下枠部の隠蔽フック部に効果的に係合する。このため、引き戸をそれ以上上方に強制的に持ち上げることができず、引き戸の外れが抑えられ、侵入者等の侵入が抑えられる。
【００１１】
様相４に係る引き戸構造によれば、上記した特徴に加えて、下枠部の延設方向と直交する断面で、枠体の下枠部は溝をもつ嵌合部を有しており、枠体の隠蔽フック部は枠体に対して別体であり、枠体の嵌合部の溝に嵌合すると共に隠蔽フック部の上昇変位に対して抵抗力を発揮する抜け止め抵抗部を有することを特徴とする。この場合、隠蔽フック部の抜け止め抵抗部は、構造物側の枠体の嵌合部の溝に嵌合し、隠蔽フック部の上昇変位に対して抵抗力を発揮する。このため侵入者等が枠体の下枠部に対して別体の隠蔽フック部を外そうと、別体の隠蔽フック部を強制的に上昇変位させたとしても、その上昇変位に対して抜け止め抵抗部が抵抗力を発揮する。この結果、隠蔽フック部を枠体の下枠部から外すことが阻止され、防犯上有利となる。
【００１２】
様相５に係る引き戸構造によれば、上記した特徴に加えて、引き戸は、外障子と内障子を有しており、下枠部の延設方向と直交する断面で、隠蔽フック部は、外障子よりも室外側に位置する第１隠蔽フック部と、内障子と外障子との間に位置する第２隠蔽フック部と、内障子よりも室内側に位置する第３隠蔽フック部とを有しており、枠体の下枠部は、内障子と外障子との間に位置する中間溝をもつ中間嵌合部と、室内側に位置する室内側溝をもつ室内側嵌合部とを有しており、枠体の第２隠蔽フック部は枠体の下枠部の中間嵌合部の中間溝に嵌合すると共に第２隠蔽フック部の上昇変位に対して抵抗力を発揮する第２抜け止め抵抗部を有しており、枠体の第３隠蔽フック部は枠体の下枠部の室内側嵌合部の室内側溝に嵌合すると共に第３隠蔽フック部の上昇変位に対して抵抗力を発揮する第３抜け止め抵抗部を有することを特徴とする。
【００１３】
この場合、第２隠蔽フック部の第２抜け止め抵抗部は、枠体の中間嵌合部の中間溝に嵌合し、第２隠蔽フック部の上昇変位に対して抵抗力を発揮する。このため侵入者等が枠体の下枠部に対して別体の第２隠蔽フック部をむりやり外そうと、第２隠蔽フック部を強制的に上昇変位させようとしても、その上昇変位に対して第２抜け止め抵抗部が抵抗力を発揮する。この結果、第２隠蔽フック部を枠体の下枠部から外すことが阻止され、防犯上有利となる。
【００１４】
また第３隠蔽フック部の第３抜け止め抵抗部は、枠体の室内側嵌合部の室内側溝に嵌合し、第３隠蔽フック部の上昇変位に対して抵抗力を発揮する。このため侵入者等が例えば内障子をむりやり持ち上げようとすると、第３隠蔽フック部にこれを上昇変位させるような力が働くが、その上昇変位に対して第３抜け止め抵抗部が抵抗力を発揮する。この結果、第３隠蔽フック部を枠体の下枠部から外すことが阻止され、防犯上有利となる。
【００１５】
様相６に係る引き戸構造によれば、上記した特徴に加えて、下枠部の延設方向と直交する断面で、第１隠蔽フック部、第２隠蔽フック部及び第３隠蔽フック部のうちの少なくとも一方は、縦方向に沿って延設された第１部分と、第１部分の上部から横方向に沿って延設された第２部分と、第２部分のうちの少なくとも一端から下方に向けて突出する下方突出部と、第１部分の下部から横方向に沿って延設され枠体の下枠部に脱着可能に固定される第３部分とを少なくとも有する横断面形状をなしていることを特徴とする。この場合、上記した横断面形状をなす隠蔽フック部は、引き戸の下端部との係合力が確保され、防犯上有利である。
【００１６】
様相７に係る引き戸構造によれば、上記した特徴に加えて、第１隠蔽フック部、第２隠蔽フック部、第３隠蔽フック部の高さ位置は、枠体を固定する構造物の室内側の露出面の高さ位置と室外側の露出面の高さ位置に対応する高さ位置に設定されていることを特徴とする。この場合、バリアフリー構造となり、車椅子や人が枠体の下枠部を横断するように通過する際に、通過が円滑になる。
【００１７】
様相８に係る引き戸構造によれば、引き戸は窓またはドアであることを特徴とする。引き戸である窓やドアに対する防犯性を高めることができる。窓としては掃き出し窓、腰窓等を例示できる。ドアは透明部を有するものでも有しないものでも良い。
【発明の効果】
【００１８】
第１発明に係る引き戸構造によれば、侵入者等により引き戸をバール等の工具でこじ開けようとしても、引き戸の下端部が枠体の下枠部の隠蔽部により隠蔽されているため、バール等の工具を枠体の下枠部と引き戸の下端部との間に差し込むことができず、侵入者等の侵入が抑えられる。
【００１９】
第２発明に係る引き戸構造によれば、侵入者等により引き戸をバール等の工具でこじ開けようとしても、引き戸の下端部が枠体の下枠部の隠蔽フック部により隠蔽されているため、バール等の工具を枠体の下枠部と引き戸の下端部との間に差し込むことができず、侵入者等の侵入が抑えられる。仮に、侵入者等により引き戸がバール等でこじ開けられて引き戸が強制的に上方変位されようとしても、引き戸の上方変位に伴い、引き戸の下端部の係合部は、構造物側の枠体の下枠部の隠蔽フック部に係合する。このため、引き戸をそれ以上上方に持ち上げることができず、引き戸の外れが抑えられ、侵入者等の侵入が抑えられる。侵入者等により引き戸がバール等を利用して侵入しようとしても、引き戸の外れが抑えられ、侵入者等の侵入が抑えられる。
【発明を実施するための最良の形態】
【００２０】
（実施形態１）
本発明の代表的な実施形態を図１〜図６を参照して説明する。図１は本実施形態に係る引き戸構造を示す。図１に示すように、引き戸構造は、家屋、集合住宅、ビル等の構造物１の開口１０に固定されるものであり、窓枠として機能する枠体１１と、枠体１１に取り付けられ開口１０を覆うスライド式の引き戸とを有する。枠体１１は、下枠部１２と、上枠部１３と、横枠部１４とを有する。引き戸は、矢印Ｗ１，Ｗ２方向へのスライドにより開閉される外障子２と内障子３とを有する。障子は窓やドア等といったスライド開閉体である戸を対象とする業界用語である。外障子２は室外側戸という意味である。内障子３は室内側戸という意味である。外障子２は、互いに対向する下框２０及び上框２１と、互いに対向する２個１組の横框２２と、これらに保持されたガラス部２３とを有する。内障子３は室内側戸であり、互いに対向する下框３０及び上框３１と、互いに対向する２個１組の横框３２と、これらにより保持されたガラス部３３とを有する。
【００２１】
図２及び図３は、枠体１１の下枠部１２の延設方向（矢印Ｗ１，Ｗ２方向）と直交する断面、即ち、外障子２及び外障子３の厚み方向に沿った断面を示す。図２及び図３に示すように、枠体１１の下枠部１２は、互いに隣接する室外側枠部１２ａと室内側枠部１２ｂとを有する。枠体１１の下枠部１２は、外障子２よりも室外側に位置する隠蔽機能及びフック機能を有する第１隠蔽フック部４と、内障子３と外障子２との間に位置する隠蔽機能及びフック機能を有する第２隠蔽フック部５と、内障子３よりも室内側に位置する隠蔽機能及びフック機能を有する第３隠蔽フック部６とを有する。第１隠蔽フック部４は下枠部１２と一体成形されているため、強度が確保されていると共に下枠部１２から分離できないようにされている。
【００２２】
図２及び図３に示すように、第１隠蔽フック部４はこれの横断面形状においてＬを上下方向で逆にした『逆Ｌ』の字形状をなしている。故に第１隠蔽フック部４は、下枠部１２の室外側枠部１２ａから上方向に向けて縦方向（垂直方向）に沿って延設された第１部分としての第１縦部４１と、第１縦部４１の上部から室内側に向けて、つまり外障子２に向けて、横方向（水平方向）に沿って延設された第２部分としての第１横部４２とを有する。
【００２３】
図２及び図３に示すように、第２隠蔽フック部５は、これの横断面形状において、枠体１１の下枠部１２のうち室外側枠部１２ａと室内側枠部１２ｂとの境界から上方向に向けて縦方向（垂直方向）に沿って延設された第１部分としての第２縦部５１と、第２縦部５１の上部から横方向（水平方向）に沿って延設された第２部分としての第２横部５２と、第２横部５２のうちの室外側の一端から下方（垂直方向）に向けて突出する第２下方突出部５３と、第２縦部５１の下部から横方向（水平方向）に沿って延設された第３部分としての第２取付部５４とを有する横断面形状をなしている。ここで、図２及び図３に示すように、第２隠蔽フック部５によれば、第２縦部５１と第２横部５２とで『断面Ｔ』の字形状をなしていると共に、第２縦部５１と第２取付部５４とで『断面Ｌ』の字形状をなしている。
【００２４】
第３隠蔽フック部６は、これの横断面形状において、枠体１１の下枠部１２の室内側枠部１２ｂから上方向に向けて縦方向（垂直方向）に沿って延設された第１部分としての第３縦部６１と、第３縦部６１の上部から横方向（水平方向）に沿って延設された第２部分としての第３横部６２と、第３横部６２のうちの室外側の一端から下方（垂直方向）に向けて突出する第３下方突出部６３と、第３縦部６１の下部から横方向（水平方向）に沿って延設された第３部分としての第３取付部６４とを有する横断面形状をなしている。ここで、図２及び図３に示すように、第３隠蔽フック部６によれば、第３縦部６１と第３横部６２とで『断面Ｔ』の字形状をなしていると共に、第３縦部６１と第３取付部６４とで『断面Ｌ』の字形状をなしている。
【００２５】
図５は第２隠蔽フック部５及び第３隠蔽フック部６の断面を示す。図５に示すように、第２隠蔽フック部５は第２抜け止め抵抗部５５を有する。第２抜け止め抵抗部５５は第２縦部５１の下端において第２取付部５４と逆方向に突出している。枠体１１の第３隠蔽フック部６は第３抜け止め抵抗部６５を有する。第３抜け止め抵抗部６５は第３縦部６１の下端において第３取付部６４と逆方向に突出する。図２及び図３に示すように、枠体１１の下枠部１２は、内障子３と外障子２との間に位置する中間溝７１をもつ中間嵌合部７２と、室内側に位置する室内側溝７４をもつ室内側嵌合部７５とを有する。
【００２６】
図３に示すように、第２隠蔽フック部５の第２抜け止め抵抗部５５は、室内側から室外側に向けて矢印Ｍ２方向に嵌め込まれ、枠体１１の下枠部１２の中間嵌合部７２の中間溝７１に嵌合している。この場合において、第２隠蔽フック部５の第２取付部５４は螺子等の第２取付具５７により下枠部１２に脱着可能に固定されている。この場合、第２隠蔽フック部５はそれ以上、室外側（矢印Ｍ２方向）に移動することが抑えられている。また第２隠蔽フック部５を矢印Ｙ１方向に強制的に上昇変位させようとしても、その上昇変位に対して第２抜け止め抵抗部５５は抵抗力を発揮する。このため侵入者等が枠体１１の下枠部１２に対して別体の第２隠蔽フック部５を外そうと、矢印Ｙ１方向に第２隠蔽フック部５を上昇変位させたとしても、その上昇変位に対して第２抜け止め抵抗部５５が抵抗力を発揮する。この結果、第２隠蔽フック部５を枠体１１の下枠部１２から外すことが阻止され、防犯上有利となる。
【００２７】
図３に示すように、第３隠蔽フック部６の第３抜け止め抵抗部６５は、室内側から室外側に向けて矢印Ｍ３方向に嵌め込まれ、枠体１１の下枠部１２の室内側嵌合部７５の室内側溝７４に嵌合している。この場合において、第３隠蔽フック部６の第３取付部６４は螺子等の第３取付具６７により下枠部１２に脱着可能に固定されている。この場合、第３隠蔽フック部６はそれ以上、室外側（矢印Ｍ３方向）に移動することが抑えられている。また第３隠蔽フック部６を矢印Ｙ１方向に上昇変位させようとしても、その上昇変位に対して第３抜け止め抵抗部６５は抵抗力を発揮する。このため侵入者等が内障子３をむりやり持ち上げようとすると、矢印Ｙ１方向に第３隠蔽フック部６が上昇変位しようとするが、その上昇変位に対して第３抜け止め抵抗部６５が抵抗力を発揮する。この結果、第３隠蔽フック部６を枠体１１の下枠部１２から外すことが阻止され、防犯上有利となる。
【００２８】
図２，図３に示すように、枠体１１の下枠部１２には外レール部１８が一体成形により上向きに設けられている。枠体１１の下枠部１２には内レール部１９が一体成形により上向きに設けられている。外障子２の下端部である下框２０には、外レール部１８上を走行する第１滑車２５が軸２６を介して回転可能に設けられている。内障子３の下端部である下框３０には、第２レール部１９上を走行する第２滑車３５が軸３６を介して回転可能に設けられている。
【００２９】
引き戸である外障子２の下框２０の下端部は、図２,図３（下枠部１２の延設方向と直交する断面）に示すように、外障子２のうち室外側に設けられ室外側に向けて横方向（水平方向）に沿って突出する第１係合部８１を有すると共に、外障子２のうち室内側に設けられ室内側に向けて横方向（水平方向）に沿って突出する第２係合部８２を有する。第１係合部８１及び第２係合部８２は、横方向において互いに逆方向に突出している。即ち、第１係合部８１及び第２係合部８２は、第１滑車２５及び外レール部１８を挟むように、互いに背向するように設けられている。なお下框２０，３０とガラス部２３，３３との間にはシール部材２４，３４が配置されている。
【００３０】
引き戸である内障子３の下框３０の下端部は、図２,図３（下枠部１２の延設方向と直交する断面）に示すように、内障子３のうち室外側に設けられ室外側に向けて横方向（水平方向）に沿って突出する第３係合部８３を有すると共に、内障子３のうち室内側に設けられ室内側に向けて横方向（水平方向）に沿って突出する第４係合部８４を有する。第３係合部８３及び第４係合部８４は、横方向において互いに逆方向に突出している。即ち、第３係合部８３及び第４係合部８４は、第２滑車３５及び内レール部１９を挟むように、互いに背向するように設けられている。
【００３１】
図２，図３に示すように、第１係合部８１及び第３係合部８３はそれぞれＬの字を左右方向に逆にした『断面逆Ｌ字』形状をなす。第２係合部８２及び第４係合部８４はそれぞれ『断面Ｌ字』形状をなす。
【００３２】
本実施形態によれば、図３に示すように、外障子２及び内障子３の厚み方向（矢印Ｓ方向）において第１係合部８１と第１隠蔽フック部４は幅Ｓ１において重なり合う。第２係合部８２と第２隠蔽フック部５は幅Ｓ２において重なり合う。第３係合部８３と第２隠蔽フック部５は幅Ｓ３において重なり合う。第４係合部８４と第３隠蔽フック部６は幅Ｓ４において重なり合う。
【００３３】
また図３に示すように、外障子２及び内障子３の高さ方向（矢印Ｈ方向）において外障子２の下框２０の下端部と第１隠蔽フック部４とは高さＨ１において重なり合う。外障子２の下框２０の下端部と第２隠蔽フック部５とは高さＨ２において重なり合う。内障子３の下框３０の下端部と第２隠蔽フック部５は高さＨ３において重なり合う。内障子３の下框３０の下端部と第３隠蔽フック部６とは高さＨ４において重なり合う。
【００３４】
さて内障子３や外障子２を枠体１１に組み付ける場合について説明を加える。図４に示すように、第２隠蔽フック部５、第３隠蔽フック部６が下枠部１２に固定されていない状態において、外障子２の上部を構造物１の枠体１１の上枠部１３に差し込んだ状態で、外障子２を降ろして第１滑車２５を外レール部１８に載せる。次に第２隠蔽フック部５の第２抜け止め抵抗部５５を、室内側から室外側に向けて矢印Ｍ２方向（外障子２の厚み方向）に沿って嵌め込み、枠体１１の下枠部１２の中間嵌合部７２の中間溝７１に嵌合し、その状態で第２隠蔽フック部５の第２取付部５４を螺子等の第２取付具５７により下枠部１２に脱着可能に取付け、第２隠蔽フック部５を枠体１１の下枠部１２に固定する。次に、内障子３の上部を構造物１側の枠体１１の上枠部１３に差し込んだ状態で、内障子３を降ろして第２滑車３５を内レール部１９に載せる。次に第３隠蔽フック部６の第３抜け止め抵抗部６５を、室内側から室外側に向けて矢印Ｍ３方向（内障子３の厚み方向）に沿って嵌め込み、枠体１１の下枠部１２の室内嵌合部７５の室内側溝７４に嵌合し、その状態で第３隠蔽フック部６の第３取付部６４を螺子等の第３取付具６７により下枠部１２に脱着可能に取付け、第３隠蔽フック部６を下枠部１２に固定する。これにより内障子３及び外障子２の組付けが終える。
【００３５】
損傷等の際に内障子３や外障子２を外す場合には、組み付けの手順と逆の手順を行えば良い。即ち、室内側から第３取付具６７を外した状態で、矢印Ｍ３方向と逆方向に、室内側から第３隠蔽フック部６を下枠部１２に対して移動させ、第３隠蔽フック部６の第３抜け止め抵抗部６５を室内側嵌合部７５の室内側溝７４から離脱させることにより、第３隠蔽フック部６を下枠部１２から外す。次に室内側から内障子３を外す。この状態で、矢印Ｍ２方向と逆方向に第２隠蔽フック部５を下枠部１２に対して移動させて、第２隠蔽フック部５の第２抜け止め抵抗部５５を中間嵌合部７２の中間溝７１から離脱させることにより、第２隠蔽フック部５を下枠部１２から外す。この状態で外障子２を枠体１１から外す。なお第２隠蔽フック部５及び第３隠蔽フック部６は前述したように室内側から外すことができるものの、室外側からは外すことができないため、防犯上有利である。
【００３６】
さて、室外側の侵入者等は外障子２の下端部と枠体１１の下枠部１２との間にバール等の工具を差し込んで強制的にこじ開けようとする。この場合、図２，図３に示すように、第１隠蔽フック部４の第１縦部４１が外障子２の下框２０の下端部（第１係合部８１付近）を上側から覆って隠蔽しているため、室外側からバール等の工具を外障子２の下框２０の下端部に差し込むことができず、防犯上有利である。殊に図３に示すように、第１隠蔽フック部４の第１縦部４１の上端に形成された第１横部４２は、外障子２の下框２０の表面２０ｘに向けて突出して接近しているため、第１横部４２の突出先端４２ｅと外障子２の下框２０の表面２０ｘとの隙間は小さく設定されており、バール等の工具を外障子２の下框２０の下端部と下枠部１２との間に差し込むことができず、防犯上有利である。
【００３７】
さらに図３に示すように、第２隠蔽フック部５の第２縦部５１が内障子３の下框３０の下端部（第３係合部８３付近）を上側から覆って隠蔽しているため、室外側からバール等の工具を内障子３の下框３０の下端部に差し込むことができず、防犯上有利である。殊に、第２隠蔽フック部５の第２縦部５１の上端に形成された第２横部５２は、内障子３の下框３０の表面３０ｘに向けて突出して接近しているため、第２隠蔽フック部５の第２横部５２の突出先端５２ｅと内障子３の下框３０の表面３０ｘとの隙間は小さく設定されており、バール等の工具を内障子３の下框３０の下端部と下枠部１２との間に差し込むことができず、防犯上一層有利である。
【００３８】
また仮に室内側から、内障子３をバール等の工具でこじ開けようとしても、図２，図３に示すように、第３隠蔽フック部６が内障子３の下框３０の下端部（第４係合部８４付近）を上側から接近しつつ覆って隠蔽しているため、内障子３の下框３０の下端部に工具を差し込むことができず、防犯上更に有利である。殊に、第３隠蔽フック部６の第３下方突出部６３は内障子３の下框３０の第４係合部８４に向けて下方に向けて突出しているため、第３下方突出部６３の突出先端６３ｅと内障子３の下框３０の表面３０ｙとの隙間は小さく設定されており、バール等の工具を内障子３の下框の第４係合部８４と下枠部１２の第３隠蔽フック部６との間に差し込むことができず、防犯上有利である。
【００３９】
仮に、バール等の工具により外障子２が矢印Ｙ１方向に強制的に上方変位されたとしても、外障子２の上方変位に伴い、外障子２の第１係合部８１は枠体１１の下枠部１２の第１隠蔽フック部４の第１横部４２に係合すると共に、外障子２の第２係合部８２は枠体１１の下枠部１２の第２隠蔽フック部５の第２下方突出部５３に係合する。このように外障子２の表面側でも裏面側でも外障子２の外れが阻止されているため、侵入者等は外障子２をそれ以上上方に持ち上げることができず、外障子２の外れが抑えられ、侵入者等の侵入が抑えられる。殊に室外側の第１隠蔽フック部４は下枠部１２と一体成形されて強度大であるため、第１隠蔽フック部４の外れを防止でき、防犯上有利である。
【００４０】
また仮に、室外側の侵入者等により内障子３がバール等で矢印Ｙ１方向に強制的に上方変位されたとしても、内障子３の上方変位に伴い、内障子３の第３係合部８３は枠体１１の下枠部１２の第２隠蔽フック部５の第２横部５２に係合すると共に、内障子３の第４係合部８４は、枠体１１の下枠部１２の第３隠蔽フック部６の第３下方突出部６３に係合する。このように内障子３の表面側でも裏面側でも、内障子３の外れが阻止されているため、内障子３をそれ以上上方に持ち上げることができず、内障子３の外れが抑えられ、侵入者等の侵入が抑えられる。
【００４１】
本実施形態によれば、第１係合部８１、第２係合部８２、第３係合部８３、第４係合部８４、第１隠蔽フック部４、第２隠蔽フック部５、第３隠蔽フック部６は、図２，３の紙面垂直方向に沿って延設されているため、つまり外障子２及び内障子３のスライド方向（矢印Ｗ１，Ｗ２方向）に沿って長く延設されているため、これらの係合距離、係合面積が確保されている。故に、外障子２の第１係合部８１と第１隠蔽フック部４との係合力、外障子２の第２係合部８２と第２隠蔽フック部５の第２下方突出部５３との係合力、内障子３の第３係合部８３と第２隠蔽フック部５の第２横部５２との係合力、内障子３の第４係合部８４と第３隠蔽フック部６の第３下方突出部６３との係合力を増強させることができ、外障子２及び内障子３のこじ開け防止に有利である。なお第１隠蔽フック部４〜第３隠蔽フック部６、第１係合部８１〜第４係合部８４は金属で形成することができる。金属としては特に限定されず、アルミニウム合金等を例示できる。
【００４２】
（実施形態２）
図７に示す実施形態２は実施形態１と基本的には同様の構成であり、同様の作用効果を奏する。以下、相違する部分を中心として説明する。図７に示すように下枠部１２の室内側の取付フランジ部１２ｆは構造物１の室内側の躯体１６の露出面１６ｆ（床面）に係合している。下枠部１２の室外側のフランジ部１２ｘは室外側の躯体としてのバルコニー１７に対向している。本実施形態によれば、図７に示すように、第１隠蔽フック部４、第２隠蔽フック部５、第３隠蔽フック部６、下枠部１２の取付フランジ部１２ｆのそれぞれの高さ位置は、枠体１１を固定する構造物１の室内側の躯体１６の露出面１６ｆ（床面）の高さ位置と、室外側のバルコニー１７の露出面１７ｆ（床面）の高さ位置に対応する高さ位置に設定されている。換言すると、第１隠蔽フック部４、第２隠蔽フック部５、第３隠蔽フック部６、取付フランジ部１２ｆのそれぞれの高さ位置は、枠体１１を固定する構造物１の室内側の躯体１６の露出面１６ｆ（床面）の高さ位置と、室外側のバルコニー１７の露出面１７ｆ（床面）の高さ位置とほぼ同一高さ面となることを目標として設定されており、バリアフリー構造とされている。この場合、車椅子や人等が枠体１１の下枠部１２を横断するように通過する際に、車椅子や人等の通過が円滑になる。なお、第１隠蔽フック部４、第２隠蔽フック部５、第３隠蔽フック部６、取付フランジ部１２ｆ、構造物１の室内側の躯体１６の露出面１６ｆ、室外側のバルコニー１７の露出面１７ｆについての、高さの段差は７ミリメートル以内、５ミリメートル以内、３ミリメートル以内、１３ミリメートル以内とすることができ、殊に０ミリメートルが好ましい。図７に示す第２隠蔽フック部５の第２横部５２、第３隠蔽フック部６の第３横部６２は、横方向に沿って延設されており、従って、車椅子や人等の通過方向に沿って延設されており、車椅子等の通過性を一層円滑にできる。
【００４３】
図７に示すように、内レール部１９の上端、外レール部１８の上端の高さ位置は、第１隠蔽フック部４、第２隠蔽フック部５、第３隠蔽フック部６、取付フランジ部１２ｆ、構造物１の室内側の躯体１６の露出面１６ｆ、室外側のバルコニー１７の露出面１７ｆを延長する延長線ＭＡよりも低く設定されている。また、第１係合部８１、第２係合部８２、第３係合部８３、第４係合部８４の高さ位置は延長線ＭＡよりも低く設定されているため、外障子２の下端部の第１係合部８１及び第２係合部８２、内障子３の下端部の第３係合部８３及び第４係合部８４が、車椅子や人等の通行の邪魔になることが防止されている。また図７に示すように、下枠部１２の上面１２ｕ、レール部１８，１９の上端は、通行の邪魔にならないように、躯体１６の露出面１６ｆの高さ位置と、室外側のバルコニー１７の露出面１７ｆよりも低くされている。
【００４４】
（実施形態３）
図８に示す実施形態３は実施形態１と基本的には同様の構成であり、同様の作用効果を奏する。以下、相違する部分を中心として説明する。図８に示すように第１隠蔽フック部４の横部４２のうち外障子２に対面する部位である突出先端から下方に向かうと共に第１係合部８１に接近して係合可能な下方突出部４３を形成しても良い。
【００４５】
（その他）
上記した実施形態１によれば、第２隠蔽フック部５の第２抜け止め抵抗部５５は外レール部１８の延設方向（矢印Ｗ１，Ｗ２方向）に沿って連続的に延設されているが、断続的に延設されていも良い。第３隠蔽フック部６の第３抜け止め抵抗部６５は内レール部１９の延設方向（矢印Ｗ１，Ｗ２方向）に沿って連続的に延設されているが、断続的に延設されていても良い。上記した実施形態１によれば、引き戸は、スライドにより開閉される外障子２と内障子３とを有するが、これに限らず、複数または単数の窓やドア等の障子が１本のレール部に載っている形態のものでも良い。
【００４６】
上記した実施形態２によれば、前述したように、第１隠蔽フック部４、第２隠蔽フック部５、第３隠蔽フック部６、取付フランジ部１２ｆのそれぞれの高さ位置は、枠体１１を固定する構造物の室内側の躯体１６の露出面１６ｆの高さ位置と、室外側のバルコニー１７の露出面１７ｆ（床面）の高さ位置に対応する高さ位置に設定されており、バリアフリー構造とされているが、これに限定されるものではなく、第１隠蔽フック部４、第２隠蔽フック部５、第３隠蔽フック部６、取付フランジ部１２ｆ、構造物１の室内側の躯体１６の露出面１６ｆ、室外側のバルコニー１７の露出面１７ｆのそれぞれの高さ位置は実用上支障がない範囲であれば、多少ばらついていても良いものである。上記した実施形態２によれば、構造物１の室内側の躯体１６の露出面１６ｆと室外側のバルコニー１７の露出面１７ｆとの間に設ける引き戸構造に適用しているが、これに限られるものではなく、他の場所に適用しても良いことは勿論である。その他、本発明は上記し且つ図面に示した実施形態のみに限定されるものではなく、必要に応じて適宜変更して実施できるものである。
【産業上の利用可能性】
【００４７】
本発明は家屋、集合住宅、ビル等の構造物の開口に装備される窓やドア等の引き戸構造に利用することができる。
【図面の簡単な説明】
【００４８】
【図１】引き戸構造の正面図である。
【図２】外障子及び内障子の下部付近の断面図である。
【図３】図２の要部を拡大した拡大断面図である。
【図４】下枠部の断面図である。
【図５】第２隠蔽フック部及び第２隠蔽フック部の断面図である。
【図６】下框の断面図である。
【図７】他の実施形態に係り、外障子及び内障子の下部付近の断面図である。
【図８】別の他の実施形態に係り、外障子及び内障子の下部付近の断面図である。
【符号の説明】
【００４９】
図中、１は構造物、１０は開口、１１は枠体、１６は躯体、１６ｆは露出面、１７はバルコニー、１７ｆは露出面、２は外障子、２０は下框、３は内障子、３０は下框、４は第１隠蔽フック部（隠蔽部）、４１は第１縦部（第１部分）、４２は第１横部（第２部分）、５は第２隠蔽フック部（隠蔽部）、５１は第２縦部（第１部分）、５２は第２横部（第２部分）、５３は第２下方突出部、５４は取付部、５５は第２抜け止め抵抗部、６は第３隠蔽フック部（隠蔽部）、６１は第３縦部（第１部分）、６２は第３横部（第２部分）、６４は取付部、６５は第３抜け止め抵抗部、７１は中間溝、７２は中間嵌合部、７４は室内側溝、７４は室内側嵌合部、８１は第１係合部、８２は第２係合部、８３は第３係合部、８４は第４係合部を示す。
【図１】
2005139740.tif 000003
【図２】
2005139740.tif 000004
【図３】
2005139740.tif 000005
【図４】
2005139740.tif 000006
【図５】
2005139740.tif 000007
【図６】
2005139740.tif 000008
【図７】
2005139740.tif 000009
【図８】
2005139740.tif 000010